(57)【要約】【課題】快適となる床面温度よりもあまり低下させずにユーザに対して不快感を与えない床暖房装置を提供する。【解決手段】ポンプ７と床暖房機器３とを配管で接続することにより熱媒循環経路１を構成した床暖房装置である。ポンプ７を駆動することによって、加熱源により加熱された熱媒を熱媒循環経路１内に循環供給するようにした。サーモオフ信号、デフロフト指令信号のような加熱源の一時停止信号が出力されたときには、熱媒循環経路１に供給される熱媒温度を、上記一時停止信号出力時の温度よりも上昇させてから上記加熱源の駆動を停止する。【選択図】図１
2006046700.tif 000002
【特許請求の範囲】
【請求項１】
ポンプ（７）と床暖房機器（３）とを配管で接続することにより熱媒循環経路（１）を構成し、上記ポンプ（７）を駆動することによって、加熱源により加熱された熱媒を上記熱媒循環経路（１）内に循環供給するようにした床暖房装置において、サーモオフ信号、デフロフト指令信号のような加熱源の一時停止信号が出力されたときには、上記熱媒循環経路（１）に供給される熱媒温度を、上記一時停止信号出力時の温度よりも上昇させてから上記加熱源の駆動を停止することを特徴とする床暖房装置。
【請求項２】
加熱源は、ヒートポンプによって加熱される水熱交換器（２１）であり、熱媒温度上昇を圧縮機（２０）の周波数を上げることによって行うことを特徴とする請求項１の床暖房装置。
【請求項３】
熱媒温度上昇時には上記熱媒循環経路（１）を循環する熱媒の循環量を増加させることを特徴とする請求項１又は請求項２の床暖房装置。
【請求項４】
上記床暖房機器（３）に使用するパネルの熱容量等のパネル特性に応じて、上記圧縮機（２０）の周波数の上昇量や上昇させる時間や上記熱媒循環経路（１）のポンプ回転増加量等を切換える制御手段（３８）を設けたことを特徴とする請求項１〜請求項３のいずれかの床暖房装置。
【発明の詳細な説明】
【技術分野】
【０００１】
この発明は、床暖房装置に関するものである。
【背景技術】
【０００２】
床暖房装置として、ヒートポンプ加熱源にて加熱された温水を床暖房機器に供給するものがある。（例えば、特許文献１参照）。すなわち、この種の床暖房装置は、一般には、図５に示すように、ポンプ５１と床暖房機器５２とを配管で接続することにより水循環経路５３を構成し、上記ポンプ５１を駆動することによって、加熱源である水熱交換器５４により加熱された温水を上記水循環経路５３内に循環供給するものである。
【０００３】
この場合、圧縮機５５と、上記水熱交換器５４と、膨張弁５６と、蒸発器（空気熱交換器）５７等を順に接続して、ヒートポンプユニットを構成している。そして、圧縮機５５が駆動すると、圧縮機５５からの吐出冷媒が、水熱交換器５４、膨張弁５６、空気熱交換器５７等を順次経由して圧縮機５５へと返流する。そのため、水循環経路５３の熱交換路５８を流通する水が水熱交換器５４によって加熱され、この温水が床暖房機器５２を循環して床暖房を行うことになる。
【特許文献１】特開２００２−１２２３３４号公報
【発明の開示】
【発明が解決しようとする課題】
【０００４】
ところで、床暖房機器５２は、床パネルと、この床パネルの下方に配置される温水循環用パイプとを備え、この温水循環用パイプを温水が循環することによって、床パネルを加熱することになる。この場合、床暖房機器５２の出口５２ｂ側に、温度検出手段としての温度センサ６０を配置して、水熱交換器５４側に戻る戻り温水の温度を検知し、この戻り温水の温度に基づいて床暖房機器５２の床パネルの温度を制御するようにしている。
【０００５】
そして、この床パネルとしては、図６（ａ）（ｂ）（ｃ）に示したようなものがある。床暖房パネルの特性は、上面放熱量では、図６（ｃ）＞図６（ｂ）＞図６（ａ）となり、立上げ時の温度上昇では、図６（ｃ）＞図６（ｂ）＞図６（ａ）となり、熱容量では、図６（ａ）＞図６（ｂ）＞図６（ｃ）となる。温度上昇すなわち、図６（ａ）の床パネルは、断熱材（グラスウール５０ｍｍ以上）からなる基板６１と、この基板６１上に配置される合板等からなる荒床６２と、荒床６２上に配置される発泡ポリスチレン等からなるパネル材６３と、このパネル材６３上に配置される床材（フローリング）６４とを備え、パネル材６３に、熱媒（温水）が循環するパイプ６５が内装されている。そして、このパイプ６５をアルミ箔で覆っている。また、エラー! リンクが正しくありません。とパネル材６３との間にアルミ箔６６を介在させている。
【０００６】
また、図６（ｂ）の床パネルは、断熱材（グラスウール５０ｍｍ以上）からなる基板６１と、この基板６１上に配置される合板等からなる荒床６２と、この荒床６２上に配置される床材（フローリング）６４とを備え、この床材（フローリング）６４にパイプ６５が内装されている。また、エラー! リンクが正しくありません。と荒床６２との間にアルミ箔６６を介在させている。
【０００７】
さらに、図６（ｃ）の床パネルは、上記図６（ａ）の床パネルと同様、断熱材からなる基板６１と、この基板６１上に配置される荒床６２と、荒床６２上に配置されるパネル材６３と、このパネル材６３上に配置される床材（フローリング）６４とを備え、パネル材６３に、熱媒（温水）が循環するパイプ６５が内装されている。この際、隣合うパイプ材ピッチＰを上記図６（ａ）の床パネルよりも小さくすると共に、最上層のエラー! リンクが正しくありません。の厚さ寸法Ｔを上記図６（ａ）の床パネルよりも小さくしている。具体的には、図６（ａ）の床パネルでは、そのパイプ材ピッチＰが１５０ｍｍ程度であり、その床材６４の厚さ寸法Ｔが１２ｍｍ程度であり、図６（ｃ）の床パネルでは、そのパイプ材ピッチＰが７５ｍｍ程度であり、その床材６４の厚さ寸法Ｔが３ｍｍ程度である。
【０００８】
そして、上記図６（ａ）の床パネルでは、例えば、通常品は１２０Ｗ／ｍ２以下、上面方熱量を向上させたものは、１５０Ｗ／ｍ２以上で、３０分間の床面温度上昇が、通常品は９ｄｅｇとなり、上面放熱量向上品は１２ｄｅｇ（１８℃〜３０℃）以上となる。また、図６（ｂ）の床パネルは、表面材（フローリング）の中に温水パイプを埋め込んだ、いわゆる床材一体型床暖房パネルであり、さらに、図６（ｃ）の床パネルは、表面材とパネル材とが分離した、いわゆる分離型床暖房パネルである。
【０００９】
上記図６（ｂ）（ｃ）の床パネルでは、表面とパイプ６５の距離が近く、熱伝導性の良いアルミ箔でパイプ６５を覆っているので、放熱量が大きく立ち上がりが速くなる利点がある。しかしながら、温度むらが生じやすくなる。すなわち、パイプ６５が対応する部位と対応しない部位とで温度差が生じ、また、パイプ６５の入口近傍と出口近傍とで温度差が生じる。このため、パイプ材ピッチＰを小さくしたり、アルミ箔の量を増加させたり、パイプ６５内の循環する温水の循環量を増加させたりする必要があった。さらに、床材６４の厚さ寸法Ｔが小さいと、床としての強度が不足するため、床材の材質を変更したり、パネル材６３の強度を上げたりすると共に、固定方法を調節したりする必要があった。なお、パネルの厚さは建築上の制約があり、図６（ａ）のパネルでは厚さＴａが１２ｍｍとなり、図６（ｂ）のパネルでは厚さＴｂが１２ｍｍとなり、図６（ｃ）のパネルででは厚さ（Ｔ＋Ｔｃ）が１２ｍｍとなるのが主流である。
【００１０】
ところで、ヒートポンプは、圧縮機の吐出・吸入の圧力差が大きいと起動出来ない。また、水温が設定値の達したサーモオフ時等において圧縮機を一時停止すると、圧力差をなくす均圧の時間の後、再起動する必要がある。均圧時間は通常３分程度必要である。この時間内にも床温が低下する。そして、ヒートポンプの冷媒として、Ｒ３２、Ｒ４１０ＡのようなＨＦＣ冷媒を使用する場合、Ｒ２２等に比べて、作動圧力が高く、油の粘度も高いものを使用することになり、均圧に時間がかかる。また、ヒートポンプの冷媒として、二酸化炭素、炭化水素のような高圧の冷媒を使用する場合、ＨＦＣ冷媒よりも、より作動圧力が高く均圧に時間がかかる。この場合、高温水を使用するため、温度変化も起こり易い。
【００１１】
このように、温水の熱を効率良く暖房熱等するために、種々の床パネルがあり、床暖房機器５２の床パネルは、熱容量が小さく、かつ熱抵抗が小さいものを使用するのが好ましい。また、床面放熱率（温水の熱が暖房熱として床の上面に放熱される率）としては、大となるのが好ましい。しかしながら、このように熱容量が小さい場合等においては、僅かな水温変化で床面温度（床パネル温度）の変動が大となる。また、床面放熱率が大きいと、床暖房機器５２の入口５２ａ側の水温（往き温水の温度）と、床暖房機器５２の出口５２ｂ側の水温（戻り温水の温度）との温度差が拡大して、床パネルに温度むらが生じるおそれがある。
【００１２】
また、床暖房機器５２への温水供給が停止する場合、例えば、循環水が、床温が設定した最高温となる温度を越えるような場合には、サーモオフの一時停止信号が発信されて、これによってヒートポンプユニットの圧縮機５５が停止することになる。しかしながら、上記のように、床パネルの熱容量が小さければ、圧縮機５５が停止した後、直ちに床温が低下することになって、ユーザは快適に過ごすことができない。このため、温度が低下すれば、圧縮機５５を駆動して運転を再開すればよいが、圧縮機５５の保護のため、一旦停止すれば、通常は所定時間、例えば３分程度再駆動をしないようにするのが好ましいので、床面温度を快適温度に短時間で戻すことができない。
【００１３】
この発明は、上記従来の欠点を解決するためになされたものであって、その目的は、快適となる床面温度よりもあまり低下させずにユーザに対して不快感を与えない床暖房装置を提供することにある。
【課題を解決するための手段】
【００１４】
そこで請求項１の床暖房装置は、ポンプ７と床暖房機器３とを配管で接続することにより熱媒循環経路１を構成し、上記ポンプ７を駆動することによって、加熱源により加熱された熱媒を上記熱媒循環経路１内に循環供給するようにした床暖房装置において、サーモオフ信号、デフロフト指令信号のような加熱源の一時停止信号が出力されたときには、上記熱媒循環経路１に供給される熱媒温度を、上記一時停止信号出力時の温度よりも上昇させてから上記加熱源の駆動を停止することを特徴としている。
【００１５】
上記請求項１の床暖房装置では、サーモオフ信号等のような加熱源の一時停止信号が出力されたときには、上記熱媒循環経路１に供給される熱媒温度を、上記一時停止信号出力時の温度よりも上昇させてから上記加熱源の駆動を停止するので、加熱源の駆動停止前に熱媒循環経路１の熱媒の温度が一旦上昇することになる。
【００１６】
請求項２の床暖房装置は、加熱源は、ヒートポンプによって加熱される水熱交換器２１であり、熱媒温度上昇を圧縮機２０の周波数を上げることによって行うことを特徴としている。
【００１７】
上記請求項２の床暖房装置では、一時停止信号が出力されたときには、圧縮機２０の周波数を上げてから上記圧縮機２０の駆動を停止するので、圧縮機２０の停止前に水循環経路１の循環水の温度が一旦上昇することになる。
【００１８】
請求項３の床暖房装置は、熱媒温度上昇時には上記熱媒循環経路１を循環する熱媒の循環量を増加させることを特徴としている。
【００１９】
上記請求項３の床暖房装置では、熱媒循環経路１を循環する熱媒の循環量を増加させるので、熱媒循環経路１内の平均熱媒温を上昇させることができる。これによって、加熱源の駆動を停止したときは、熱媒循環経路１内の熱媒の温度が加熱源の一時停止信号が出力されたときよりも高くなっている。
【００２０】
請求項４の床暖房装置は、上記床暖房機器３に使用する床パネル４の熱容量等のパネル特性に応じて、上記圧縮機２０の周波数の上昇量や上昇させる時間や上記熱媒循環経路１のポンプ回転増加量等を切換える制御手段３８を設けたことを特徴としている。
【００２１】
上記請求項４の床暖房装置では、床暖房機器３に使用する床パネル４の熱容量等のパネル特性に応じて、上記圧縮機２０の周波数の上昇量や上昇させる時間や上記熱媒循環経路１のポンプ回転増加量等を切換えるので、使用する床パネル４に応じて、床面温度が低下しすぎないように調整することができる。
【発明の効果】
【００２２】
請求項１の床暖房装置によれば、加熱源の駆動停止前に熱媒循環経路の熱媒の温度が一旦上昇することになる。このため、床暖房機器の床面温度が、設定した快適温度よりも大きく低下するのを防止して、ユーザに対して不快感を与えることを回避することができ、快適に過ごすことができる。
【００２３】
請求項２の床暖房装置によれば、圧縮機の駆動を停止したとしても、加熱源の一時停止信号が出力されたときよりも、熱媒循環経路（水循環経路）の循環水の温度が高くなっており、床暖房機器の床面温度が、設定した快適温度よりも大きく低下するのを防止することができる。
【００２４】
請求項３の床暖房装置によれば、圧縮機の駆動を停止したとしても、水循環経路内の循環水の温度を、サーモオフ等の信号が出力されたときよりも高くなっている。すなわち、水循環経路内の循環水の低下によって、床面温度がその快適温度よりも低下するのを無くすことができたり、低下したとしてもその低下量が僅かであると共に低下している時間も短いものとしたりすることができる。このため、ユーザに対して不快感を与えることを一層回避することができ、快適性の向上を図ることができる。
【００２５】
請求項４の床暖房装置によれば、使用する床パネルに応じて、床面温度が低下しすぎないように調整することができる。これにより、熱容量が相違する床パネルであっても、ユーザにとって快適に過ごすことができる床暖房装置を構成することができる。
【発明を実施するための最良の形態】
【００２６】
次に、この発明の床暖房装置の具体的な実施の形態について、図面を参照しつつ詳細に説明する。図１は床暖房装置の簡略全体図である。この床暖房装置は熱循環経路としての水循環経路１を備え、冷媒系統回路（ヒートポンプユニット）２にて加熱される温水（熱媒）を水循環経路１で循環させて、床暖房機器３を暖めるものである。また、床暖房機器３は、温水循環パイプ５を有する床パネル４を備える。そして、床パネル４としては、通常表面材と合わせて、デフロストに使用するのに十分な熱容量（物体の温度を単位温度だけ上昇させるのに要する熱量）を有している。
【００２７】
上記水循環経路１は、膨張タンク６と循環用ポンプ７とを介設された往き管８と、往きヘッダ９と、戻りヘッダ１０と、戻り管１１とを備える。また、往きヘッダ９は、主管接続部１２ａと複数の分岐管接続部１２ｂ・・とを有するヘッダ本体１２を備え、主管接続部１２ａに往き管８が接続され、分岐管接続部１２ｂに、開閉弁（熱動弁）１３が介設された分岐管１４が接続されている。さらに、戻りヘッダ１０は、主管接続部１５ａと複数の分岐管接続部１５ｂ・・とを有するヘッダ本体１５を備え、主管接続部１５ａに戻り管１１が接続され、分岐管接続部１５ｂに分岐管１６が接続されている。そして、往きヘッダ９側の一の分岐管１４に、温水循環パイプ５の入口に接続される往き配管１７が接続され、戻りヘッダ１０の一の分岐管１６に、温水循環パイプ５の出口に接続される戻り配管１８が接続される。このため、往きヘッダ９の分岐管１４の数及び戻りヘッダ１０の分岐管１６の数に応じて、複数の床暖房機器３（図例では２個）を接続することができる。
【００２８】
また、冷媒系統回路（ヒートポンプユニット）２は、圧縮機２０と、水熱交換器２１と、空気熱交換器２２と、膨張弁２３と、四路切換弁２４と、アキュームレータ２５等を備える。すなわち、四路切換弁２４の一方の１次ポートが圧縮機２０の吐出管２６に接続され、四路切換弁２４の他方の１次ポートが圧縮機２０の吸込管２７に接続されている。また、この吸込管２７には、上記アキュームレータ２５が介設されている。四路切換弁２４の一方の２次ポートが水熱交換器２１に第１ガス管２８にて接続され、四路切換弁２４の他方の２次ポートが空気熱交換器２２に第２ガス管２９にて接続されている。さらに、水熱交換器２１と膨張弁２３とが第１液管３１にて接続され、膨張弁２３と空気熱交換器２２とが第２液管３２にて接続されている。また、空気熱交換器２２にはファン３３が付設されている。
【００２９】
また、往き管８には往き温水の温度を検知（検出）する往き水温検出手段３５が付設され、戻り管１１には戻り温水の温度を検知（検出）する戻り水温検出手段３６が付設されている。さらに、水熱交換器２１には温度（凝縮温度）を検知（検出）する水熱交換器温度検出手段３７が付設されている。そして、各検出手段３５、３６、３７にて検出された各部位の温度は、図２に示すように、信号発生手段４０を介して制御手段３８に入力される。また、各検出手段３５、３６、３７はそれぞれ温度検出サーミスタ等にて構成することができ、制御手段３８はこの床暖房装置の全体の制御を行うＣＰＵ等にて構成することができる。
【００３０】
次に、この床暖房装置の床暖房運転を説明する。まず、四路切換弁２４を図１の実線で示す状態に切換え、圧縮機２０を駆動する。すると、冷媒が、四路切換弁２４、水熱交換器２１、膨張弁２３、空気熱交換器２２、四路切換弁２４へと流れ、水熱交換器２１が凝縮器として機能し、空気熱交換器２２が蒸発器として機能する。そこで、上記ポンプ７を駆動すると、膨張タンク６内の温水が往き配管８内へ流出し、往きヘッダ９等を介して、往き配管１７に流入して温水循環パイプ５を循環した後、戻り配管１８に返流されて、戻りヘッダ１０等を介して戻り管１１から、水熱交換器２１の熱交換路３０を流通する。このとき、上記のように、凝縮器として機能している水熱交換器２１によって、この熱交換路３０を流れる温水が加熱され、その後、膨張タンク６へと供給され、床暖房機器３がこの温水にて温められる。なお、この床暖房装置によれば、図１に示す状態から四路切換弁２４を切換えて、圧縮機２０を駆動すると、冷媒が、四路切換弁２４、空気熱交換器２２、膨張弁２３、水熱交換器２１、四路切換弁２４へと流れて、空気熱交換器２２が凝縮器として機能し、水熱交換器２１が蒸発器として機能するようにすれば、温水が冷却され、これによって床冷房運転を行うことが可能となる。
【００３１】
そして、従来においては、床暖房装置は図４に示すような制御を行うことになる。すなわち、床面温度（床パネル温度）が快適温度（設定温度）となるように、水循環経路１内の循環水の温度を制御することになる。この際、圧縮機２０の周波数を上昇させることによって、水循環経路１内の循環水の温度を上昇させ、この循環水の温度（水温）が、設定手段３９（図２参照）にて設定した床面温度（快適温度）を越える温度となったときに（図４のサーモＯＦＦラインを越えるときに）、信号発信手段４０（図２参照）からサーモオフ信号のような加熱源の一時停止信号が制御手段３８に発信され、圧縮機２０の駆動が停止することになる。そして、この停止によって、循環水の温度が低下して、図４のサーモＯＮラインよりも低下するときに、再度圧縮機２０を駆動することになる。しかしながら、圧縮機２０を一旦停止すれば、圧縮機２０の保護のために、所定時間Ｌ（例えば、３分程度）経過後に、駆動するのが好ましい。このため、圧縮機２０のＯＮ−ＯＦＦは、図４に示すようなパターンで繰返されることになる。この際、床面温度（床温）は、図４のグラフ４１（水循環経路１内の循環水の水温の変化を示すグラフ）とグラフ４２（床面温度の変化を示すグラフ）とからわかるように、圧縮機２０を停止したときから所定時間Ｌ１だけ遅れて低下することになる。なお、水循環経路１内の循環水の温度としては、例えば、往き水温検出手段３５にて検出された往き温水の温度を使用する。
【００３２】
しかしながら、この床暖房機器３の床パネル４は、上記したように熱容量が小さいので、図４のサーモＯＦＦラインを越えるときに、圧縮機２０の駆動を停止すれば、グラフ４１でわかるように、水循環経路１内の水温が直に急激に低下して、グラフ４２でわかるように、床面温度が大幅に低下することになる。このため、ユーザは不快感を感じることになる。そこで、この床暖房装置では図３に示すような制御を行うことになる。
【００３３】
すなわち、図３に示すように、水循環経路１の水温が上昇して、サーモＯＦＦラインに達したときには、直に圧縮機２０を停止することなく、圧縮機２０の周波数を上げる。例えば、２０Ｈｚ程度の周波数から５０Ｈｚ程度の周波数に上げた運転を１分程度行う。これによって、図３のグラフ４３（水循環経路１内の循環水の水温の変化を示すグラフ）とグラフ４４（床面温度の変化を示すグラフ）とからわかるように、水循環経路１内の水温が上昇して、床面温度も上昇することになる。そして、圧縮機２０の周波数を増加させる運転を行った後に、圧縮機２０の駆動を停止することになる。
【００３４】
このような制御（サーモオフ信号が出力されたときには、ヒートポンプユニット２の圧縮機２０の周波数を上げてからこの圧縮機２０の駆動を停止する制御）を行えば、圧縮機２０の停止前に一旦循環水の温度が上昇する。このため、所定時間Ｌが過ぎて再度圧縮機２０が駆動して床面温度が上昇する間においては、図３のグラフ４４の差Ｓ１からもわかるように、床面温度は設定した快適温度よりも僅かに低下するだけである。これに対し、この図３の仮想線で示すグラフ４２（図４に示すグラフ４２と同じグラフ）では、サーモオフ信号が出力されたときに、直に圧縮機２０の駆動を停止するので、差Ｓ２からわかるように、床面温度がその設定した快適温度よりも大きく低下する。また、グラフ４４ではその低下している時間Ｔ１がグラフ４２においてその低下している時間Ｔ２（図４参照）よりも小となっていることがわかる。すなわち、図３に示すように、サーモＯＦＦラインに達したときには、圧縮機２０の周波数を上げるようにすることによって、床面温度が快適温度よりも低下している時間の短縮も図ることができる。
【００３５】
このように、上記床暖房装置は、サーモオフ信号が出力されたときには、ヒートポンプユニット２の圧縮機２０の周波数を上げてからこの圧縮機２０の駆動を停止するので、圧縮機２０の停止前に水循環経路１の循環水の温度が一旦上昇することになる。このため、床暖房機器３の床面温度が、設定した快適温度よりも大きく低下するのを防止して、ユーザに対して不快感を与えることを回避することができ、快適に過ごすことができる。
【００３６】
次に、他の制御方法として、図４のサーモＯＦＦラインを越えるときに、圧縮機２０の周波数を上げると共に、水循環経路１のポンプ７の回転数を増加させたり、流路制御用のバルブの開度を大きくしたりして循環量を多くしてから圧縮機２０の駆動を停止するようにしてもよい。これによって、圧縮機２０の停止直前に水循環経路１の循環水の平均水温を上昇させておくことができる。従って、圧縮機２０の駆動を停止したときに、水循環経路１内の循環水の温度を、サーモオフの信号が出力されたときよりも高くなっている。このため、床面温度がその快適温度よりも低下するのを無くすことができたり、低下したとしてもその低下量が僅かであると共に低下している時間の短いものとしたりすることができ、ユーザに対して不快感を与えることを一層回避することができ、快適性の向上を図ることができる。
【００３７】
床暖房機器３に使用する床パネル４には、熱容量等のパネル特性が相違する種々のパネルがある。このため、床暖房機器３に使用する床パネル４の熱容量等のパネル特性に応じて、制御手段３８によって、圧縮機２０の周波数の上昇量や上昇させる時間や水循環経路１のポンプ回転増加量等を切換えるようにするのが好ましい。すなわち、熱抵抗等が小さい場合には、循環する水温の変化で床温変動が大きく、放熱量が大きい場合には、床暖房機器３の出口側と入口側との温度差が大となる。このため、熱容量等が小さい床パネルを使用すれば、僅かな水温変化で床面温度が大きく変動したり、往き温水の温度と戻り温水の温度との温度差が拡大したりするので、使用する床パネル４の熱容量等のパネル特性に応じて、圧縮機２０の周波数の上昇量や上昇させる時間や水循環経路１のポンプ回転増加量等を、上記設定手段３９にて予め設定しておき、床パネル４に応じた設定値となるように切換えるようにすれば、使用する床パネル４に応じて、床面温度が低下しすぎないように調整することができる。
【００３８】
ところで、空気熱源利用のヒートポンプ式の床暖房装置においては、デフロスト運転を行う場合がある。デフロスト運転は、ヒートポンプユニット２において、水熱交換器２１にて熱回収を行う逆サイクル運転を行いつつ、ポンプ７を駆動して水循環経路１の循環水を循環させるものである。このため、水循環経路１の循環水の温度が低下することになる。従って、このデフロスト運転開始前において循環水の温度を上昇させておくようにするのが好ましい。
【００３９】
すなわち、この空気熱交換器２２の出口温度を検知する温度センサ（図示省略）の温度に基づいて、空気熱交換器２２に霜が付着しているか否かを判断し、空気熱交換器２２に霜が付着していると判断すれば、上記信号発生手段４０から、デフロスト開始信号が発信され、これによって、空気熱交換器２２の霜を取り除くためのデフロスト運転（除霜運転）を行うことになる。そこで、この床暖房装置では、このデフロスト運転を行うための信号（デフロスト指令信号）が出力されたときには、ヒートポンプユニット２の圧縮機２０の周波数を上げてからこの圧縮機２０の駆動を停止することになる。これによって、デフロスト運転に突入しても、床暖房機器３の床面温度が、設定した快適温度よりも大きく低下するのを防止して、ユーザに対して不快感を与えることを回避することができる。この際、圧縮機２０の周波数を上げると共に、水循環経路１のポンプ７の回転数を増加させてから圧縮機２０の駆動を停止するようにしてもよい。なお、ヒートポンプの冷媒として、Ｒ３２、Ｒ４１０ＡのようなＨＦＣ冷媒や、二酸化炭素、炭化水素のような超臨界域で使用するものを用いることによって、上記作用効果を顕著に発揮することになる。
【００４０】
以上にこの発明の具体的な実施の形態について説明したが、この発明は上記形態に限定されるものではなく、この発明の範囲内で種々変更して実施することができる。例えば、水循環経路１の循環水の温度としては、上記実施の形態では、往き水温検出手段３５にて検出された往き温水の温度を使用したが、戻り水温検出手段３６にて検出された戻り温水の温度を使用しても、水熱交換器温度検出手段３７にて検出した水熱交換器温度を使用してもよい。また、圧縮機２０の周波数の増加量や増加させている時間等も任意に設定できる。さらに、上記実施の形態では、往きヘッダ９と戻りヘッダ１０等を設けて、複数の床暖房機器３の接続を可能としているが、この際の分岐管１４、１６の数の増減は任意である。また、このような分岐管１４、１６を設けずに、接続される床暖房機器３が単数個であってもよい。また、熱媒としても温水ではない他の循環液を使用してもよい。さらに、床暖房装置として、室内の冷暖房を行う空調システムを備えたものであってもよい。
【図面の簡単な説明】
【００４１】
【図１】この発明の床暖房装置の実施形態を示す簡略全体図である。
【図２】上記床暖房装置の制御部の簡略ブロック図である。
【図３】上記床暖房装置の循環水の温度と床面温度を示すグラフ図である。
【図４】従来の制御方法にて制御を行ったときの循環水の温度と床面温度を示すグラフ図である。
【図５】従来の床暖房装置の簡略全体図である。
【図６】床パネルを示し、（ａ）は一般的なパネルの断面図であり、（ｂ）は床材一体型のパネルの断面図であり、（ｃ）は分離型のパネルの断面図である。
【符号の説明】
【００４２】
１・・熱媒循環経路、３・・床暖房機器、７・・ポンプ、２０・・圧縮機、２１・・水熱交換器、３８・・制御手段
【図１】
2006046700.tif 000003
【図２】
2006046700.tif 000004
【図３】
2006046700.tif 000005
【図４】
2006046700.tif 000006
【図５】
2006046700.tif 000007
【図６】
2006046700.tif 000008